(57)【要約】      （修正有）【課題】施工時にエプロンの嵌合部を天板の被嵌合部へ挿入しやすいものであって、ガタつきが発生しにくい浴室カウンターを提供する。【解決手段】エプロン３２の嵌合部５２は左右方向にわたって前後方向に屈曲するように形成されており、天板３１のエプロン被嵌合部４２の前方内壁４４は嵌合部の左側端部、右側端部、中央部５２ａの何れかに当接しており、エプロン被嵌合部４２の後方内壁４３は前方内壁４４に当接していない嵌合部の左側端部、右側端部、中央部の何れかに当接しており、エプロン被嵌合部は嵌合部が屈曲した状態で、嵌合部を前方内壁及び後方内壁に囲まれた空間に挿入するためのガイド部４６を有している。【選択図】図７
2020110218.tif 000002
【特許請求の範囲】
【請求項１】
前方端部の下方に形成されたエプロン被嵌合部を有する天板と、
前記エプロン被嵌合部に嵌合される嵌合部を有するエプロンと、
を備えた浴室カウンターであって、
前記嵌合部は、左右方向にわたって、前後方向に屈曲するように形成されており、
前記エプロン被嵌合部の前方内壁は、前記嵌合部の左側端部、右側端部、中央部の何れかに当接しており、
前記エプロン被嵌合部の後方内壁は、前記前方内壁に当接していない前記嵌合部の左側端部、右側端部、中央部の何れかに当接しており、
前記エプロン被嵌合部は、前記嵌合部が屈曲した状態で、前記嵌合部を前記前方内壁及び前記後方内壁に囲まれた空間に挿入するためのガイド部を有していることを特徴とする浴室カウンター。
【請求項２】
前記ガイド部は、前記エプロン被嵌合部の前記後方内壁が、後方に向かって下方傾斜するように形成された傾斜部であることを特徴とする請求項１記載の浴室カウンター。
【請求項３】
前記エプロン被嵌合部の前記後方内壁は、前記前方内壁よりも下方に突出していることを特徴とする請求項１または２に記載の浴室カウンター。
【請求項４】
前記エプロン被嵌合部の前記前方内壁は、前記嵌合部の前記左側端部及び前記右側端部に当接しており、
前記エプロン被嵌合部の前記後方内壁は、前記前方内壁に当接していない前記嵌合部の前記中央部に当接していることを特徴とする請求項２または３に記載の浴室カウンター。
【請求項５】
前記ガイド部は、前記エプロン被嵌合部の前記前方内壁が、前方に向かって下方傾斜するように形成された傾斜部であることを特徴とする請求項１記載の浴室カウンター。
【請求項６】
前記エプロン被嵌合部の前記前方内壁は、前記後方内壁よりも下方に突出していることを特徴とする請求項１または５に記載の浴室カウンター。
【請求項７】
前記エプロン被嵌合部の前記後方内壁は、前記嵌合部の前記左側端部及び前記右側端部に当接しており、
前記エプロン被嵌合部の前記前方内壁は、前記後方内壁に当接していない前記嵌合部の前記中央部に当接していることを特徴とする請求項５または６に記載の浴室カウンター。
【発明の詳細な説明】
【技術分野】
【０００１】
本発明は、浴室カウンターに関する。
【背景技術】
【０００２】
天板の前方端部の下方に形成されたエプロン被嵌合部に、エプロンの前方側に形成された嵌合部を嵌合させることで構成された浴室カウンターが知られている。
【先行技術文献】
【特許文献】
【０００３】
【特許文献１】特開２００９−６１２１８号公報
【発明の概要】
【発明が解決しようとする課題】
【０００４】
浴室空間においては、浴室使用後には高温多湿となったり、冬などには寒冷な状態となったりする。この際、エプロンや天板を安価で加工しやすい樹脂で形成していると、エプロンや天板が熱膨張収縮することによって、エプロン被嵌合部に嵌まったエプロンの嵌合部がガタついてしまったり、外れてしまったりする可能性がある。
【０００５】
そこで、本発明は、施工時にエプロンの嵌合部を天板の被嵌合部へ挿入しやすいものであって、ガタつきが発生しにくい浴室カウンターを提供する。
【課題を解決するための手段】
【０００６】
第１の発明の浴室カウンターは、前方端部の下方に形成されたエプロン被嵌合部を有する天板と、前記エプロン被嵌合部に嵌合される嵌合部を有するエプロンと、を備えた浴室カウンターであって、前記嵌合部は、左右方向にわたって、前後方向に屈曲するように形成されており、前記エプロン被嵌合部の前方内壁は、前記嵌合部の左側端部、右側端部、中央部の何れかに当接しており、前記エプロン被嵌合部の後方内壁は、前記前方内壁に当接していない前記嵌合部の左側端部、右側端部、中央部の何れかに当接しており、前記エプロン被嵌合部は、前記嵌合部が屈曲した状態で、前記嵌合部を前記前方内壁及び前記後方内壁に囲まれた空間に挿入するためのガイド部を有していることを特徴とする。
第１の発明によれば、エプロンの嵌合部が屈曲した状態で、天板のエプロン被嵌合部に嵌合し、エプロン被嵌合部の前方内壁及び後方内壁に押し当たるため、浴室内の温度変化によってエプロンや天板が熱膨張収縮した際にも、エプロン被嵌合部に嵌まったエプロンの嵌合部のガタつきを抑制することができる。また、施工時において、嵌合部がエプロン被嵌合部から外れてしまうことも抑制できる。
第２の発明は、第１の発明において、前記ガイド部は、前記エプロン被嵌合部の前記後方内壁が、後方に向かって下方傾斜するように形成された傾斜部であることを特徴とする。
第２の発明によれば、嵌合部のエプロン被嵌合部への挿入に際してガイド部が邪魔にならない。
第３の発明は、第１または第２の発明において、前記エプロン被嵌合部の前記後方内壁は、前記前方内壁よりも下方に突出していることを特徴とする。
第３の発明によれば、エプロン被嵌合部への挿入時に嵌合部をガイド部に当接させやすく、また嵌合部を嵌合位置にガイドするための十分な距離を確保できる。
第４の発明は、第２または第３の発明において、前記エプロン被嵌合部の前記前方内壁は、前記嵌合部の前記左側端部及び前記右側端部に当接しており、前記エプロン被嵌合部の前記後方内壁は、前記前方内壁に当接していない前記嵌合部の前記中央部に当接していることを特徴とする。
第４の発明によれば、エプロンの嵌合部において後方に凸状に屈曲した中央部を、後方に向かって下方傾斜したガイド部に当接させながらエプロン被嵌合部へとガイドできるため、エプロンの嵌合部を屈曲した状態で天板のエプロン被嵌合部に嵌合しやすくなる。
第５の発明は、第１の発明において、前記ガイド部は、前記エプロン被嵌合部の前記前方内壁が、前方に向かって下方傾斜するように形成された傾斜部であることを特徴とする。
第５の発明によれば、ガイド部は前方に向かって下方傾斜し、前方内壁と後方内壁との間の空間の間口が広がっているため、嵌合部をエプロン被嵌合部へと挿入しやすい。
第６の発明は、第１または第５の発明において、前記エプロン被嵌合部の前記前方内壁は、前記後方内壁よりも下方に突出していることを特徴とする。
第６の発明によれば、エプロン被嵌合部への挿入時に嵌合部をガイド部に当接させやすく、また嵌合部を嵌合位置にガイドするための十分な距離を確保できる。
第７の発明は、第５または第６の発明において、前記エプロン被嵌合部の前記後方内壁は、前記嵌合部の前記左側端部及び前記右側端部に当接しており、前記エプロン被嵌合部の前記前方内壁は、前記後方内壁に当接していない前記嵌合部の前記中央部に当接していることを特徴とする。
第７の発明によれば、エプロンの嵌合部において前方に凸状に屈曲した中央部を、前方に向かって下方傾斜したガイド部に当接させながらエプロン被嵌合部へとガイドできるため、エプロンの嵌合部を屈曲した状態で天板のエプロン被嵌合部に嵌合しやすくなる。
【発明の効果】
【０００７】
本発明によれば、施工時にエプロンの嵌合部を天板の被嵌合部へ挿入しやすいものであって、ガタつきが発生しにくい浴室カウンターを提供できる。
【図面の簡単な説明】
【０００８】
【図１】本発明の一実施形態の浴室ユニットの模式図。
【図２】本発明の一実施形態の浴室カウンターの斜視図。
【図３】本発明の一実施形態の浴室カウンターの斜視図。
【図４】本発明の一実施形態の浴室カウンターの分解斜視図。
【図５】本発明の一実施形態の浴室カウンターにおける天板のエプロン被嵌合部の斜視図。
【図６】本発明の一実施形態の浴室カウンターにおける天板のエプロン被嵌合部と、エプロンの嵌合部との嵌合状態を表す模式図。
【図７】本発明の一実施形態の浴室カウンターにおける天板のエプロン被嵌合部と、エプロンの嵌合部の中央部との嵌合部分の断面図。
【図８】本発明の一実施形態の浴室カウンターにおける天板のエプロン被嵌合部と、エプロンの嵌合部の左右の端部との嵌合部分の断面図。
【図９】本発明の他の実施形態の浴室カウンターにおける天板のエプロン被嵌合部と、エプロンの嵌合部との嵌合状態を表す模式図。
【図１０】本発明の他の実施形態の浴室カウンターにおける天板のエプロン被嵌合部と、エプロンの嵌合部の中央部との嵌合部分の断面図。
【図１１】本発明の他の実施形態の浴室カウンターにおける天板のエプロン被嵌合部と、エプロンの嵌合部の左右の端部との嵌合部分の断面図。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、本発明の一実施形態の浴室ユニット１０の模式図である。
【００１１】
浴室ユニット１０は、浴槽１１と、洗い場床１２と、複数の壁パネル１３と、天井パネル１４と、浴室カウンター２０、３０とを有する。
【００１２】
洗い場床１２は浴槽１１に隣接している。複数の壁パネル１３は、浴槽１１及び洗い場床１２を囲むように設けられている。天井パネル１４は、各壁パネル１３の上に設けられ、各壁パネル１３で囲まれた浴室空間の上部を塞いでいる。
【００１３】
浴室カウンター２０は、例えば、湯水を吐出する水栓を備えた水栓カウンターである。浴室カウンター３０は、例えば、上面に洗面器等を置くことが可能な洗面カウンターである。浴室カウンター２０、３０は、壁パネル１３に取り付けられている。
【００１４】
浴室カウンター（洗面カウンター）３０は、浴室カウンター（水栓カウンター）２０の下方に設置されている。浴室カウンター（洗面カウンター）３０は、洗い場床１２に置かれた風呂椅子などに腰掛けた状態の使用者に対し、上面に載置した洗面器などを使用し易い高さに設けられる。浴室カウンター（水栓カウンター）２０の水栓から吐水された湯水を、浴室カウンター（洗面カウンター）３０の上面に載置された洗面器で受けることが可能となっている。
【００１５】
図２は、前方側から見た浴室カウンター３０の斜視図である。
図３は、壁パネル１３に取り付けられる後方側から見た浴室カウンター３０の斜視図である。
図４は、浴室カウンター３０の分解斜視図である。
【００１６】
浴室カウンター３０は、天板３１と、エプロン３２と、支持材３５と、補強材３４と、上カバー３３とを有する。
【００１７】
天板３１は、上面視において略矩形の平板状の部材である。天板３１は、浴室カウンター３０の上面を形成する。
【００１８】
支持材３５は、壁パネル１３に取り付けられ、天板３１を支持する。支持材３５は、天板３１の後端を壁パネル１３から僅かに離間させた状態で支持する。これにより、使用者に対して浴室カウンター３０を浮いているように見せることができ、浴室カウンター３０のデザイン性を向上させることができる。
【００１９】
補強材３４は、天板３１と支持材３５との間に設けられる。天板３１は補強材３４の上に設けられ、補強材３４は天板３１の撓みを抑制する。
【００２０】
エプロン３２は、天板３１の下方に取り付けられ、支持材３５および補強材３４を覆う。エプロン３２の後面の中央部には切欠が形成され、その切欠は上カバー３３で覆われる。
【００２１】
天板３１、エプロン３２、補強材３４、および上カバー３３は、支持材３５に対して例えばネジで固定される。補強材３４および支持材３５は、例えば金属材料から形成されている。
【００２２】
天板３１およびエプロン３２はともに樹脂材料から形成されている。エプロン３２は例えばポリプロピレン樹脂から形成されている。天板３１の上面には洗面器等が載置されるため、天板３１はエプロン３２よりも硬い樹脂（例えばＡＢＳ樹脂）から形成されている。
【００２３】
天板３１の前方端部４１の下方には、エプロン被嵌合部４２が形成されている。
図５は、天板３１のエプロン被嵌合部４２の斜視図である。
【００２４】
エプロン被嵌合部４２は、前方内壁４４と後方内壁４３とを有する。前方内壁４４は、天板３１の左右方向に連続して形成されている。後方内壁４３は、前方内壁４４よりも後方（浴室カウンター３０が取り付けられた壁パネルに近い側）に位置する。
【００２５】
また、エプロン被嵌合部４２は、ガイド部４６を有している。ガイド部４６は、後方内壁４３の一部が後方に向かって下方傾斜するように形成された傾斜部である。後方内壁４３は、上下方向に延びる垂直部と、垂直部の下端に連続して形成され傾斜したガイド部４６とを有する。ガイド部４６は、下方ほど後方に後退するように傾斜している。ガイド部４６は、直線的な傾斜部に限らず、曲面状の傾斜部であってもよい。ガイド部４６も含む後方内壁４３は、前方内壁４４よりも下方に突出している。
【００２６】
後方内壁４３およびガイド部４６は、リブ４５に形成されている。複数のリブ４５が、天板３１の左右方向に互いに離間して配置されている。この後方内壁４３およびガイド部４６を形成したリブ４５は、天板３１の前方端部４１の反りや撓みを抑制する補強部材として機能する。
【００２７】
図４に示すように、エプロン３２は嵌合部５２を有する。嵌合部５２は、エプロン３２の前面５１の上端に形成されている。嵌合部５２は、エプロン３２の左右方向に連続して形成されている。嵌合部５２は、天板３１のエプロン被嵌合部４２に嵌合される。
【００２８】
図６は、天板３１のエプロン被嵌合部４２と、エプロン３２の嵌合部５２との嵌合状態を表す模式図である。図６は、エプロン被嵌合部４２および嵌合部５２の水平方向の断面を模式的に表す。
【００２９】
エプロン３２の嵌合部５２は、左右方向にわたって、前後方向に屈曲するように形成され、その状態で天板３１のエプロン被嵌合部４２に嵌合している。ここで、「屈曲」とは、曲面状に屈曲、すなわち湾曲も含む。
【００３０】
図６に示す例では、エプロン３２の嵌合部５２の左右方向における中央部５２ａが、左側端部５２ｂおよび右側端部５２ｃよりも後方に位置するように、嵌合部５２が屈曲（湾曲）している。
【００３１】
図７は、天板３１のエプロン被嵌合部４２と、エプロン３２の嵌合部５２の中央部５２ａとの嵌合部分の上下方向に沿った断面図である。
図８は、天板３１のエプロン被嵌合部４２と、エプロン３２の嵌合部５２の左側端部５２ｂ（右側端部５２ｃ）との嵌合部分の上下方向に沿った断面図である。
【００３２】
図７に示すように、エプロン３２の嵌合部５２の中央部５２ａは、天板３１のエプロン被嵌合部４２の後方内壁４３に当接し、前方内壁４４には当接していない。
【００３３】
図８に示すように、エプロン３２の嵌合部５２の左側端部５２ｂ（右側端部５２ｃ）は、天板３１のエプロン被嵌合部４２の前方内壁４４に当接し、後方内壁４３には当接していない。
【００３４】
エプロン３２の嵌合部５２は図６に示すように屈曲した状態で、エプロン被嵌合部４２の前方内壁４４及び後方内壁４３に囲まれた空間（前方内壁４４と後方内壁４３との間の空間）へ挿入され、挿入前よりも若干前後方向に圧縮されることで生じる弾性復元力によって、嵌合部５２の中央部５２ａはエプロン被嵌合部４２の後方内壁４３に押し当たるように当接し、嵌合部５２の左側端部５２ｂ（右側端部５２ｃ）はエプロン被嵌合部４２の前方内壁４４に押し当たるように当接する。
【００３５】
このようにエプロン３２の嵌合部５２が屈曲した状態で、天板３１のエプロン被嵌合部４２に嵌合し、前方内壁４４及び後方内壁４３に押し当たるため、浴室内の温度変化によってエプロン３２や天板３１が熱膨張収縮した際にも、エプロン被嵌合部４２に嵌まったエプロン３２の嵌合部５２のガタつきを抑制することができる。また、エプロン３２が支持材３５に例えばネジで固定される前の施工時において、嵌合部５２がエプロン被嵌合部４２から外れてしまうことも抑制できる。
【００３６】
屈曲した状態のエプロン３２の嵌合部５２を、エプロン被嵌合部４２の前方内壁４４と後方内壁４３との間の空間に挿入する際、ガイド部４６はその嵌合部５２の挿入をガイドし、施工作業性を向上させることができる。
【００３７】
図６〜図８に示す例では、エプロン３２の嵌合部５２において後方に凸状に屈曲（湾曲）した中央部５２ａを、後方に向かって下方傾斜したガイド部４６に当接させながら上方の後方内壁４３へとガイドできるため、エプロン３２の嵌合部５２を屈曲した状態で天板３１のエプロン被嵌合部４２に嵌合しやすくなる。
【００３８】
ガイド部４６を含む後方内壁４３は、前方内壁４４よりも下方に突出しているため、挿入時に嵌合部５２の中央部５２ａをガイド部４６に当接させやすく、また嵌合部５２を嵌合位置にガイドするための十分な距離を確保できる。
【００３９】
エプロン３２の前面５１は後方に向かって下方傾斜し、ガイド部４６も後方に向かって下方傾斜しているため、嵌合部５２のエプロン被嵌合部４２への挿入に際してガイド部４６が邪魔にならない。
【００４０】
図９は、他の実施形態における、天板３１のエプロン被嵌合部４２と、エプロン３２の嵌合部５２との嵌合状態を表す模式図である。図９は、エプロン被嵌合部４２および嵌合部５２の水平方向の断面を模式的に表す。
図１０は、図９に示す実施形態における、天板３１のエプロン被嵌合部４２と、エプロン３２の嵌合部５２の中央部５２ａとの嵌合部分の上下方向に沿った断面図である。
図１１は、図９に示す実施形態における、天板３１のエプロン被嵌合部４２と、エプロン３２の嵌合部５２の左側端部５２ｂ（右側端部５２ｃ）との嵌合部分の上下方向に沿った断面図である。
【００４１】
エプロン３２の嵌合部５２は、左右方向にわたって、前後方向に屈曲するように形成され、その状態で天板３１のエプロン被嵌合部４２に嵌合している。図９に示す例では、エプロン３２の嵌合部５２の左右方向における中央部５２ａが、左側端部５２ｂおよび右側端部５２ｃよりも前方に位置するように、嵌合部５２が屈曲（湾曲）している。
【００４２】
図１０に示すように、エプロン３２の嵌合部５２の中央部５２ａは、天板３１のエプロン被嵌合部４２の前方内壁４４に当接し、後方内壁４３には当接していない。
【００４３】
図１１に示すように、エプロン３２の嵌合部５２の左側端部５２ｂ（右側端部５２ｃ）は、天板３１のエプロン被嵌合部４２の後方内壁４３に当接し、前方内壁４４には当接していない。
【００４４】
エプロン３２の嵌合部５２は図９に示すように屈曲した状態で、エプロン被嵌合部４２の前方内壁４４及び後方内壁４３に囲まれた空間へ挿入され、挿入前よりも若干前後方向に圧縮されることで生じる弾性復元力によって、嵌合部５２の中央部５２ａはエプロン被嵌合部４２の前方内壁４４に押し当たるように当接し、嵌合部５２の左側端部５２ｂ（右側端部５２ｃ）はエプロン被嵌合部４２の後方内壁４３に押し当たるように当接する。
【００４５】
このようにエプロン３２の嵌合部５２が屈曲した状態で、天板３１のエプロン被嵌合部４２に嵌合し、前方内壁４４及び後方内壁４３に押し当たるため、浴室内の温度変化によってエプロン３２や天板３１が熱膨張収縮した際にも、エプロン被嵌合部４２に嵌まったエプロン３２の嵌合部５２のガタつきを抑制することができる。また、エプロン３２が支持材３５に例えばネジで固定される前の施工時において、嵌合部５２がエプロン被嵌合部４２から外れてしまうことも抑制できる。
【００４６】
屈曲した状態のエプロン３２の嵌合部５２を、エプロン被嵌合部４２の前方内壁４４と後方内壁４３との間の空間に挿入する際、前方内壁４４に形成されたガイド部４７はその嵌合部５２の挿入をガイドし、施工作業性を向上させることができる。
【００４７】
ガイド部４７は、前方内壁４４の一部が前方に向かって下方傾斜するように形成された傾斜部である。前方内壁４４は、上下方向に延びる垂直部と、垂直部の下端に連続して形成され傾斜したガイド部４７とを有する。
【００４８】
図９〜図１１に示す例では、エプロン３２の嵌合部５２において前方に凸状に屈曲（湾曲）した中央部５２ａを、前方に向かって下方傾斜したガイド部４７に当接させながら上方の前方内壁４４へとガイドできるため、エプロン３２の嵌合部５２を屈曲した状態で天板３１のエプロン被嵌合部４２に嵌合しやすくなる。
【００４９】
ガイド部４７を含む前方内壁４４は、後方内壁４３よりも下方に突出しているため、挿入時に嵌合部５２の中央部５２ａをガイド部４７に当接させやすく、また嵌合部５２を嵌合位置にガイドするための十分な距離を確保できる。
【００５０】
ガイド部４７は前方に向かって下方傾斜し、前方内壁４４と後方内壁４３との間の空間の間口が広がっているため、嵌合部５２をエプロン被嵌合部４２へと挿入しやすい。
【００５１】
以上、具体例を参照しつつ本発明の実施形態について説明した。しかし、本発明は、それらに限定されるものではなく、本発明の技術的思想に基づいて種々の変形が可能である。
【符号の説明】
【００５２】
１０…浴室ユニット、３０…浴室カウンター、３１…天板、３２…エプロン、４２…エプロン被嵌合部、４４…前方内壁、４３…後方内壁、４６…ガイド部、４７…ガイド部、５２…嵌合部、５２ａ…嵌合部の中央部、５２ｂ…嵌合部の左側端部、５２ｃ…嵌合部の右側端部
【図１】
2020110218.tif 000003
【図２】
2020110218.tif 000004
【図３】
2020110218.tif 000005
【図４】
2020110218.tif 000006
【図５】
2020110218.tif 000007
【図６】
2020110218.tif 000008
【図７】
2020110218.tif 000009
【図８】
2020110218.tif 000010
【図９】
2020110218.tif 000011
【図１０】
2020110218.tif 000012
【図１１】
2020110218.tif 000013